(57)【要約】【課題】振動を吸収し、フレームトップの変形を防止可能なラケットを提供する。【解決手段】欠け口２２を有するフレームトップ２０を延ばして二つの支持アーム３０を形成し、二つの支持アーム３０の端部を結合してシャフト３２を形成し、シャフト３２を延ばしてグリップを形成する。少なくとも一つの通線孔４２を有する弧形ユニット４０をフレームトップ２０の欠け口２２に設け、フレームトップ２０と弧形ユニット４０との間に二つの弾性ユニット４６を別々に設ける。このようなラケットによると、弾性ユニットはフレームトップと弧形ユニットとの間の振動を吸収することができ、フレームトップの変形を防止することができる。【選択図】  図３
0003141866.tif 000002
【実用新案登録請求の範囲】
【請求項１】
欠け口を有するフレームトップと、
前記フレームトップを延ばして形成した二つの支持アームと、
前記二つの支持アームの端部を結合して形成したシャフトと、
前記シャフトを延ばして形成したグリップと、
前記フレームトップの前記欠け口に設け、少なくとも一つの通線孔を有する弧形ユニットと、
前記フレームトップと前記弧形ユニットとの間に別々に設けた二つの弾性ユニットと、
を備えることを特徴とするラケット。
【請求項２】
前記欠け口は前記フレームトップと前記二つの支持アームの接続部に設けることを特徴とする請求項１に記載のラケット。
【請求項３】
前記フレームトップは前記欠け口に二つの陥没部を有し、前記弧形ユニットは前記フレームトップの二つの前記陥没部に嵌合する二つの突出部を有することを特徴とする請求項１に記載のラケット。
【請求項４】
前記陥没部は前記フレームトップの外縁に設けることを特徴とする請求項３に記載のラケット。
【考案の詳細な説明】
【技術分野】
【０００１】
本考案はラケットに関する。
【背景技術】
【０００２】
図１に示すように、従来の振動を吸収可能なラケット１はフレームトップ２、二つの支持アーム３および図示しないグリップを備える。フレームトップ２は二つの支持アーム３の間に位置する欠け口４を有し、欠け口４は弾性ユニット５を有する。これにより、ラケット１で打球する際に生じた振動を、フレームトップ２を介して弾性ユニット５に伝播させ、振動を吸収する目的を達成することが可能である。
【０００３】
ラケット１の振動吸収能力は弾性ユニット５の弾性係数に関係があり、弾性ユニット５の弾性係数が高くなればなるほど振動吸収能力は低くなるが、一方で比較的高いガット張力に耐えることが可能である。逆に弾性ユニット５の弾性係数が低くなればなるほど振動吸収能力は高くなるが、一方で比較的高いガット張力に耐えることができず、フレームトップ２を変形させてしまう恐れがあるため、如何にラケットの振動吸収能力をより良好にし、フレームトップ２の変形を防止するかいうことが業界において最も解決したい問題となっている。
【考案の開示】
【考案が解決しようとする課題】
【０００４】
本考案の主な目的は、振動を吸収する能力を有し、フレームトップの変形を防止可能なラケットを提供することにある。
【課題を解決するための手段】
【０００５】
上述の目的を達成するために、本考案によるラケットは、フレームトップ、二つの支持アーム、シャフト、グリップ、弧形ユニットおよび二つの弾性ユニットを備える。フレームトップは欠け口を有する。二つの支持アームはフレームトップから別々に延びており、かつその端部を結合してシャフトを形成する。グリップはシャフトを延ばして形成する。弧形ユニットはフレームトップの欠け口に設け、少なくとも一つの通線孔を有する。二つの弾性ユニットはフレームトップと弧形ユニットとの間に別々に設ける。
【考案を実施するための最良の形態】
【０００６】
以下、本考案の実施形態を図面に基づいて説明する。
（第１実施形態）
本考案の第１実施形態によるラケット１０を図２および図３に示す。ラケット１０はフレームトップ２０、二つの支持アーム３０、グリップ３４、弧形ユニット４０および二つの弾性ユニット４６を備える。
【０００７】
フレームトップ２０は底部に欠け口２２を有する。二つの支持アーム３０はフレームトップ２０から別々に延びており、かつその端部（自由端）を結合して形成したシャフト３２を有する。欠け口２２はフレームトップ２０と二つの支持アーム３０の接続部２３の間に位置付ける。フレームトップ２０は欠け口２２に近い二つの陥没部２４を有する。グリップ３４はシャフト３２を延ばして形成する。フレームトップ２０、二つの支持アーム３０およびグリップ３４は繊維補強材樹脂料から構成する。繊維は炭素繊維、ガラス繊維、ホウ素繊維またはケブラー（Kevlar）繊維などを採用することが可能である。また樹脂は熱硬性樹脂または熱塑性樹脂である。
【０００８】
弧形ユニット４０はフレームトップ２０の欠け口２２に装着する。弧形ユニット４０は複数の通線孔４２と、フレームトップ２０の二つの陥没部２４に嵌合する二つの突出部４４とを有する。弧形ユニット４０は炭素繊維補強樹脂から構成する。二つの弾性ユニット４６はフレームトップ２０と弧形ユニット４０の間に別々に装着する。弾性ユニット４６はゴム、シリコン樹脂または熱塑性ゴム（ＴＰＲ）などの弾性材質から構成する。
【０００９】
弾性ユニット４６はフレームトップ２０と弧形ユニット４０との間の振動を緩衝することができるため、ラケット１０で打球する際に生じた振動をフレームトップ２０から弧形ユニット４０に伝播させ、吸収することができる。同様に、弧形ユニット４０からフレームトップ２０に伝播した振動を弾性ユニット４６によって吸収することもできる。さらに弧形ユニット４０はガット４８の張力の変化によってフレームトップ２０の径方向に沿い移動し、弧形ユニット４０と接続するガット４８の跳ね返る力と振動を吸収する効果をより良好にすることができる。
【００１０】
本考案の精神に基づき、振動を吸収することのできる本考案によるラケットの構成を多様に変化することができる。例えば、需要に応じて欠け口の位置をフレームトップの任意の位置に設けることもできる。また需要に応じて弧形ユニットの通線孔の数を調整し、弧形ユニットに少なくとも一つの通線孔を配置しさえすれば本考案の目的を達成することもできる。またフレームトップの陥没部と弧形ユニットの突出部の位置または形を変化させることもできる。
【００１１】
（第２実施形態）
本考案の第２実施例によるラケット５０を図4に示す。そのうちの二つ陥没部５４はフレームトップ５２の外縁に位置付ける。二つの突出部５８は弧形ユニット５６の外縁に位置付け、弧形ユニット５６はガット（図中未表示）の張力によって安定しながらフレームトップ５２に連結することができる。かつ弧形ユニット５６とフレームトップ５２の組み立てがより簡単となる。
【００１２】
（第３実施形態）
図５に示すのは本考案の第３実施例によるラケット６０である。そのうちの二つ陥没部６４はフレームトップ６２の外縁に位置付け、二つの突出部６８は弧形ユニット６６の外縁に位置付ける。これにより本実施例の形はより単純となり、コスト削減に有利である。
上述した通り、本考案の技術内容に基づく構成の変化は本考案の請求の範囲に属すべきである。
【図面の簡単な説明】
【００１３】
【図１】従来の振動を吸収可能なラケットの正面図である。
【図２】本考案の第１実施形態正面図である。
【図３】本考案の第１実施形態によるラケットの部分拡大図である。
【図４】本考案の第２実施形態によるラケットの部分拡大図である。
【図５】本考案の第３実施形態によるラケットの部分拡大図である。
【符号の説明】
【００１４】
１：ラケット、２：フレームトップ、３：支持アーム、４：欠け口、５：弾性ユニット、１０：ラケット、２０：フレームトップ、２２：欠け口、２３：接続部、２４：陥没部、３０：支持アーム、３２：シャフト、３４：グリップ、４０：弧形ユニット、４２：通線孔、４４：突出部、４６：弾性ユニット、４８：ガット、５０：ラケット、５２：フレームトップ、５４：陥没部、５６：弧形ユニット、５８：突出部、６０：ラケット、６２：フレームトップ、６４：陥没部、６６：弧形ユニット、６８：突出部
【図１】
0003141866.tif 000003
【図２】
0003141866.tif 000004
【図３】
0003141866.tif 000005
【図４】
0003141866.tif 000006
【図５】
0003141866.tif 000007